(57)【要約】【課題】  ボイド型枠に所定の遮音層を形成することによって、床衝撃音の遮音性能に優れたコンクリートスラブを製作する。【解決手段】  コンクリートスラブ２０の層内に中空ボイド３０を具備させるための筒体１でなるボイド型枠において、筒体１に、パーライト、ガラスビーズ又はアルミナバブルから選ばれる１種又は複数種の粉粒体でなる遮音層３を形成する。遮音層３を筒体１の外周面に形成さした場合には、その遮音層３を不織布で覆っておく。筒体を合成樹脂発泡体とする場合には、その合成樹脂発泡体が、パーライト、ガラスビーズ又はアルミナバブルから選ばれる１種又は複数種の粉粒体を、体積比で３０％以下含んでいる、という構成を採用することも可能である。【選択図】        図１
2005068767.tif 000002
【特許請求の範囲】
【請求項１】
コンクリートスラブの層内に中空ボイドを具備させるための筒体でなるボイド型枠において、
上記筒体の外周面又は内周面に、パーライト、ガラスビーズ又はアルミナバブルから選ばれる１種又は複数種の粉粒体でなる遮音層を形成してあることを特徴とするボイド型枠。
【請求項２】
上記筒体の正面視形状が、正円形状、長円形状、多角形状及び湾曲部を備えた形状から選ばれるいずれかである請求項１に記載したボイド型枠。
【請求項３】
遮音層を形成している粉粒体の直径が０．２〜４ｍｍである請求項１又は請求項２に記載したボイド型枠。
【請求項４】
遮音層の層厚が０．５〜５ｍｍである請求項１ないし請求項３のいずれか１項に記載したボイド型枠。
【請求項５】
上記筒体に上記遮音層が接着剤で接合されている請求項４に記載したボイド型枠。
【請求項６】
上記筒体の外周面に形成された上記遮音層が、不織布などの柔軟な素材でなる保護シートで覆われている請求項１ないし請求項５のいずれか１項に記載したボイド型枠。
【請求項７】
コンクリートスラブの層内に中空ボイドを具備させるための筒体でなるボイド型枠において、
上記筒体が合成樹脂発泡体でなり、その合成樹脂発泡体が、パーライト、ガラスビーズ又はアルミナバブルから選ばれる１種又は複数種の粉粒体を、体積比で３０％以下含んでいることを特徴とするボイド型枠。
【発明の詳細な説明】
【技術分野】
【０００１】
本発明は、ホイド型枠、詳しくは、コンクリートスラブの層内に中空ボイドを具備させるための筒体でなるボイド型枠に関する。
【背景技術】
【０００２】
ボイド型枠は、集合住宅や高層建物などのスラブを軽量化して大スパン化することに有益な建築資材であり、そのボイド型枠として金属製又は発泡スチロール製の筒体を用いることが知られていて、一般的には筒体として円筒形又は矩形筒形のものが汎用されている。また、このボイド型枠を層内に具備させたコンクリートスラブは、ボイド型枠の設置箇所でのコンクリート層の層厚が薄くなっているために、その設置箇所で音波が共振することによって床衝撃音の遮音性能のレベルが低下し、たとえば壁掛け電話のベル音などが間仕切り壁を介して固体音として伝播しやすくなるということが云われている。そこで、床衝撃音の遮音性能を改善すること意図して、ボイド型枠を形成している筒体の形状を種々変更したり、ボイド型枠の使用によってスラブの軽量化が図られることを勘案してそのスラブを厚くするという試みもなされている。
【０００３】
一方、従来例として、円筒形の筒体をボイド型枠とすることが公知である（特許文献１参照）。
【０００４】
【特許文献１】特開２００３−１３５９８号公報
【発明の開示】
【発明が解決しようとする課題】
【０００５】
しかしながら、ボイド型枠を形成している筒体の形状を特殊な形状に置き換えたりスラブを厚くしたりすることによって床衝撃音の遮音性能を改善するという試みは、それ自体が床衝撃音の遮音性能の改善に一定の効果を発揮するものであるとしても、筒体の製作に高度な技術が必要になってそれだけコスト高になったり、スラブが厚くなることによって室内天井高さを高く保つことが困難になったりするという問題点を有している。
【０００６】
本発明は以上の問題に鑑みてなされたものであり、ボイド型枠を形成している筒体の形状を変更することなく、また、スラブを厚くしたりすることなく、床衝撃音の遮音性能を改善することのできるボイド型枠を提供することを目的とする。
【課題を解決するための手段】
【０００７】
本発明に係るボイド型枠は、コンクリートスラブの層内に中空ボイドを具備させるための筒体でなるボイド型枠において、上記筒体の外周面又は内周面に、パーライト、ガラスビーズ又はアルミナバブルから選ばれる１種又は複数種の粉粒体でなる遮音層を形成してある、という点に特徴を有している。
【０００８】
この発明によれば、パーライト、ガラスビーズ又はアルミナバブルから選ばれる１種又は複数種の粉粒体でなる遮音層が、音波を乱反射して干渉させたり、音波を吸収したり、吸収して取り込んだ音波をその層内で乱反射して干渉させたりする作用を発揮することにより、また、遮音層を形成している粉粒体が音波との摩擦によって音響エネルギーを吸収したりする作用を発揮することによって優れた床衝撃音の遮音性能を発揮する。また、上掲の各種の粉粒体の中からパーライトを選択したボイド型枠では、パーライトが気密性の小気泡の集合体であって砂の１／１０〜１／２０の重さであるために軽量性に優れ、耐火性や耐薬品性にも優れているため、スラブに加わる強度上の負担が小さく抑えられるだけでなく、初期の消音作用が長期に亘って持続するという特筆すべき作用を発揮する。
【０００９】
この発明では、上記筒体の正面視形状が、正円形状、長円形状、多角形状及び湾曲部を備えた形状から選ばれるいずれかであってもよい。
【００１０】
この発明では、遮音層を形成している粉粒体の直径が０．２〜４ｍｍである、という構成を採用することが可能であり、それによると、直径が０．２〜４ｍｍの上記粉粒体が現況下で市場に流通していることから、低コストでの入手が容易であるという利点がある。
【００１１】
本発明では、遮音層の層厚が０．５〜５ｍｍであることが望ましい。これは、層厚が０．５〜５ｍｍの遮音層は、塗布、吹付け、その他の汎用的な手段によってそれほどの熟練を要することなく容易に形成することができるからである。
【００１２】
本発明では、上記筒体に上記遮音層が接着剤で接合されている、という構成を採用することができ、これによれば、０．５〜５ｍｍの層厚の遮音層を塗布、吹付け、その他の汎用的な手段によってそれほどの熟練を要することなく容易に形成することができる。また、遮音層を形成している粉粒体が剥がれ落ちるという事態が抑制される。
【００１３】
本発明では、上記筒体の外周面に形成された上記遮音層が、不織布などの柔軟な素材でなる保護シートで覆われていることが望ましい。これによれば、コンクリートスラブの施工中に作業者がボイド型枠の上を通行した場合や、ボイド型枠の上に他の資材が一時的に載置されたような場合に、遮音層を形成している粉粒体の脱落などが保護シートにより抑制される。
【００１４】
本発明に係る他のボイド型枠は、コンクリートスラブの層内に中空ボイドを具備させるための筒体でなるボイド型枠において、上記筒体が合成樹脂発泡体でなり、その合成樹脂発泡体が、パーライト、ガラスビーズ又はアルミナバブルから選ばれる１種又は複数種の粉粒体を、体積比で３０％以下含んでいる、いうものである。これによると、筒体の内周面や外周面に遮音層を形成する必要がなく、合成樹脂材料を発泡させて筒体を製作するだけで床衝撃音の遮音性に優れたボイド型枠が得られる。
【発明の効果】
【００１５】
以上のように、本発明によれば、ボイド型枠を形成している筒体の外周面又は内周面に保持させた遮音層によって床衝撃音の遮音性能が発揮されるので、ボイド型枠を形成している筒体の形状を変更したりスラブを厚くしたりすることなく、遮音性能に優れたコンクリートスラブを製作することが可能になるという効果がある。
【００１６】
また、筒体を合成樹脂発泡体で形成し、その合成樹脂発泡体が、上掲の粉粒体を、体積比で３０％以下含んでいるというものでは、合成樹脂材料を発泡させて筒体を製作するだけで床衝撃音の遮音性に優れたボイド型枠が得られるという効果がある。
【発明を実施するための最良の形態】
【００１７】
図１は本発明に係るボイド型枠の様々な実施形態の正面視形状を示した説明図、図２はボイド型枠の好ましい輪郭形状を例示した説明図、図３はボイド型枠を用いたコンクリートスラブの施工事例を示した説明図である。
【００１８】
図１（Ａ）〜（Ｆ）において、１はボイド型枠の骨材としての金属（板金）製又は合成樹脂発泡体でなる筒体であり、それらの筒体の正面視形状は、（Ａ）が正円形状、（Ｂ）が長円形状、（Ｃ）が矩形、（Ｄ）が波形の湾曲部１２を有する形状、（Ｅ）が５角形状、（Ｆ）が正円形状に、それぞれ形成されている。このうち、（Ａ）〜（Ｅ）の筒体１には、その内周面に遮音層３が形成され、（Ｆ）の筒体１には、その外周面に遮音層３が形成されている。
【００１９】
図１（Ａ）〜（Ｆ）のそれぞれのボイド型枠において、遮音層３は、パーライト、ガラスビーズ又はアルミナバブルから選ばれる１種又は複数種の粉粒体でなる。パーライトは気密性の小気泡の集合体であり、ガラスビーズやアルミナバブルも同様に気密性の小気泡の集合体である。したがって、これらの素材を用いて形成した上記遮音層３は、音波を乱反射して干渉させたり、音波を吸収したり、吸収して取り込んだ音波をその層内で乱反射して干渉させたりする作用を顕著に発揮する。また、遮音層３を形成している粉粒体が音波との摩擦によって音響エネルギーを吸収したりする作用をも発揮する。そして、このよな作用によって、当該ボイド型枠を層内に具備させたコンクリートスラブは優れた床衝撃音の遮音性能を発揮する。特に、上掲の各種の粉粒体の中からパーライトを選択して形成した遮音層３を有するボイド型枠では、パーライトが砂の１／１０〜１／２０の重さであるために軽量性に優れ、耐火性や耐薬品性にも優れているため、スラブに加わる強度上の負担が小さく抑えられるだけでなく、筒体１の形状を特殊な形状に変更したりスラブを厚くしたりしなくても、初期の消音作用が長期に亘って持続する。特に、図１（Ｄ）のように、波形の湾曲部１２を有する形状の筒体１の内周面に遮音層３を形成したものでは、筒体１の形状により音波が乱反射して干渉するので、そのような音波干渉作用と遮音層３による消音作用とが相乗してきわめて高い消音作用が発揮される。したがって、そのようなボイド型枠を用いたスラブは床衝撃音の遮音作用に特に優れている。また、図２（Ａ）のように、筒体１の外面に環状又は螺旋状の凸部１５を具備させてボイド型枠の側面視での輪郭線を波形に形成したり、同図（Ｂ）のように、筒体１の内面に環状又は螺旋状の凸部１５を具備させてボイド型枠の側面視での輪郭線を波形に形成したりすることも可能であり、そのようにすることにより、音波の乱反射による干渉作用が助長された高い消音作用が発揮される。
【００２０】
遮音層３の形成箇所は、筒体１の内周面であっても外周面であっても、さらには内周面と外周面の両方であってもよく、いずれを選んでも、上記したような消音機能が発揮される。また、筒体１の形状は図１（Ａ）〜（Ｅ）に掲げたものに限定されない。
【００２１】
ところで、遮音層３を形成している粉粒体を、パーライト、ガラスビーズ又はアルミナバブルから選択する場合、それらの粉粒体は、直径が０．２〜４ｍｍのものであれば現況下で市場に汎用的に流通している。そのため、この範囲の直径を有する粉粒体を用いることが、安価に入手することが容易である点で望ましい。しかし、入手が可能であることを前提とすれば、直径が上記範囲外の粉粒体を用いることを排除するものではない。
【００２２】
また、遮音層３の層厚は０．５〜５ｍｍであることが望ましい。これは、層厚が０．５〜５ｍｍの遮音層３は、筒体１の外周面や内周面に、塗布、吹付け、その他の汎用的な手段によってそれほどの熟練を要することなく容易に形成することができることによる。
【００２３】
遮音層３を筒体１の外周面や内周面に保持させる手段として、遮音層３を筒体１に接着剤で接合するという手段を採用することができる。そして、筒体１に遮音層３を接着剤で接合するようにすると、０．５〜５ｍｍの層厚の遮音層を塗布、吹付け、その他の汎用的な手段によってそれほどの熟練を要することなく容易に形成することができるだけでなく、遮音層３を形成している粉粒体が筒体１から剥がれ落ちるという事態が起こりにくくなる。
【００２４】
図１（Ｆ）に例示したように、筒体１の外周面に遮音層３を形成したボイド型枠では、その遮音層３を、不織布などの柔軟な素材でなる保護シート（不図示）で覆っておくことが望まれる。保護シートには、不織布のほか、布、紙、ネットなどを用いることも可能である。通常、ボイド型枠は、コンクリートスラブの施工中に作業者がその上を通行する場合や、その上に他の資材を一時的に載置するような場合が起こり得る。そのような場合でも、遮音層３を保護シートで覆っておくと、遮音層３を形成している粉粒体の脱落などが保護シートにより抑制されるという利点がある。
【００２５】
図３のように、本発明に係るボイド型枠１０は、コンクリートスラブ２０の層内に埋入されてそのスラブ２０に中空ボイド３０を具備させることに役立つ。そして、このような中空ボイド３０を備えたコンクリートスラブ２０では、ボイド型枠１０の遮音層３が、音波を乱反射して干渉させたり、音波を吸収したり、吸収して取り込んだ音波をその層内で乱反射して干渉させたりする作用を顕著に発揮し、また、遮音層３を形成している粉粒体が音波との摩擦によって音響エネルギーを吸収したりする作用をも発揮する。
【００２６】
本発明に係るボイド型枠１０では、その遮音層３としてパーライトの粉粒体を用いることが特に好ましい。パーライトは、天然火山ガラスである真珠岩や松脂岩を所定の粒度に粉砕して急速に加熱、膨張させることによって得られる気密性小気泡の集合体であり、たとえば、ＳｉＯ2 ７５．０％、Ａｌ2 Ｏ3 １４．０％、Ｆｅ2 Ｏ3 ０．９％、ＣａＯ０．１％：Ｋ2 Ｏ４．２％、Ｎａ2 ０３．５％の組成を持つ。この組成のパーライトは、単位容積質量が砂の１／１０〜１／２０という軽量性を持ち、１２００℃でも溶融しないという耐火性を備え、熱伝導率が０．０３６〜０．０５ｋｃａｌ／ｍ・ｈ・℃で断熱性に優れ、ガラス質であるために耐薬品性に優れ、ＰＨ値が７を示す中性であって化学的に安定した性質を示す。
【００２７】
本発明に係るボイド型枠は、筒体が発泡スチロール成形体などの合成樹脂発泡体で成形することも可能であり、その場合には、その合成樹脂発泡体が、パーライト、ガラスビーズ又はアルミナバブルから選ばれる１種又は複数種の粉粒体を、体積比で３０％以下含んでいるものであってもよい。この構造のボイド型枠によると、筒体の内周面や外周面に遮音層を形成する必要がなく、合成樹脂材料を発泡させて筒体を製作するだけで床衝撃音の遮音性に優れたボイド型枠が得られる。なお、粉粒体の含有量が３０％を越えると、合成樹脂発泡体でる筒体が脆くなって満足のいく強度が得られなくなるおそれがある。
【００２８】
本発明に係るボイド型枠を採用したコンクリートスラブは、床衝撃音遮断性能が５００〜１０００Ｈｚの中高音域で顕著に発揮され、そのような共振防止の具体的作用としては、波形ボイド（図１（Ｄ）のもの）の場合と同様に、１０〜１５ｄＢ程度に抑えられることを確認している。
【図面の簡単な説明】
【００２９】
【図１】本発明に係るボイド型枠の様々な実施形態の正面視形状を示した説明図である。
【図２】（Ａ）（Ｂ）はボイド型枠の好ましい側面視輪郭形状を例示した説明図である。
【図３】ボイド型枠を用いたコンクリートスラブの施工事例を示した説明図である。
【符号の説明】
【００３０】
１  筒体
３  遮音層
１０  ボイド型枠
２０  コンクリートスラブ
３０  中空ボイド
【図１】
2005068767.tif 000003
【図２】
2005068767.tif 000004
【図３】
2005068767.tif 000005